(57)【要約】      （修正有）【課題】芯の燃焼により溶解したロウを安定的に吸収させつつ、芯の燃え残りが少なく長時間にわたって燃焼を持続させるロウソクを提供する。【解決手段】和紙を円筒形状に形成し、蚕の繭から紡いだ糸を巻いた芯１を有する。また、ロウソク本体は、第一のロウ部材に粉状かつ／又は粒状の蓄光材を撹拌した外層ロウ部４と、第一のロウ部材より融点が低い第二のロウ部材を充填した内層ロウ部５とからなるロウソクであって、前記芯１による安定した燃焼と外層ロウ部４内に偏在した蓄光材６の発光によって視覚的効果を高める。【選択図】図３
0003202924.tif 000002
【実用新案登録請求の範囲】
【請求項１】
厚さ３ないし１０匁の和紙を円筒形状に形成し、蚕の繭から紡いだ糸を巻いた芯であって、前記円筒内にもロウ部材を浸含させた芯を有することを特徴とするロウソク。
【請求項２】
請求項１に係る芯と、粉状かつ／又は粒状の蓄光剤を偏在して含有した第一のロウ部材を容体に形成した外層ロウ部と、前記容体に前記第一のロウ部材より融点が低い第二のロウ部材を充填した内層ロウ部とからなり、偏在した蓄光材の発光励起により視覚効果を発現させることを特徴とするロウソク。
【請求項３】
請求項１または２にあっては、ロウ部材に芳香性の精油成分を有する漢方生薬または香辛料を含有させたことを特徴とするロウソク。
【考案の詳細な説明】
【技術分野】
【０００１】
考案は、癒し系のロウソクに関して、特に灯心となる芯及び外観的な視覚効果を発現する構造に関する。
【背景技術】
【０００２】
癒し系ロウソクは、洋ロウソクに属するもので、灯心となる芯は、綿を素材として紙縒り状に凝縮した芯とするものが多く、ロウソク本体の外形は寸胴の逆円錐台タイプが一般的である。癒し効果を狙うため、ロウソク本体に芳香剤や火炎の色合いを変化させる燃焼剤を含有させたもの、外観においてデザイン性のある造形をあしらったもの等、多様なものがある。
【０００３】
先行技術を概観すれば、視覚効果を狙ったロウソクとして特許文献１や特許文献２の発明が提案されている。前者の発明は、ロウソク本体を着色された多層構造として、ロウの燃焼による多色層の色合いの変化や外形的な切込みを加えることで視覚的効果を得るものである。後者の発明は、ロウソクを囲うキャンドル台に蓄光材及び蛍光材を含有させたことを特徴として、蓄光材等の発光現象に視覚効果を求めたものである。
【先行技術文献】
【特許文献】
【０００４】
【特許文献１】特開２０１０−１９５９２８号公報
【特許文献２】特開平１１−１６２２５１号公報
【考案の概要】
【考案が解決しようとする課題】
【０００５】
これらの従来技術によれば、紙縒り状の綿芯は燃え残りが生じやすく、残滓した芯の撓みにより、火炎が外周方向に偏ってロウソクを溶解し、ふきこぼれが生じる場合がある。また、ロウに蓄光材等の不燃成分が含有されていれば、毛管現象に影響を与え、溶解したロウの吸収が妨げられる。したがって、ロウ全体を効果的に使い尽くすように燃焼させることが難しいという課題があった。
【０００６】
癒しの視覚効果の観点では、一般にロウソクの着色に係る外形的なデザインに依るものが多く、特許文献１の発明は、外形的なデザインに係るものといえる。特許文献２の発明では、蓄光材及び蛍光材を取り入れて、発光現象による幻想的な雰囲気を出現させるものであるが、いずれも具体的なイメージを醸し出す高い視覚効果を発揮し難いものである。
【０００７】
本考案が解決しようとする課題は、第一に、芯の燃焼により溶解したロウを安定的に吸収させつつ、芯の燃え残りが少なく長時間にわたって燃焼を持続させることである。第二に、安定した燃焼のもとで、蓄光材を利用した視覚性の高い癒し効果を実現することである。具体的には星空をイメージさせる外観を発現させるロウソクを作成することにある。
【課題を解決するための手段】
【０００８】
請求項１に係る考案は、厚さ３ないし１０匁の和紙を円筒形状に形成し、蚕の繭から紡いだ糸を巻いた芯であって、前記円筒内にもロウ部材を浸含させた芯を有することを特徴とするロウソクである。前記芯の燃焼火炎により芯周辺のロウを安定的に溶解させ、和紙により溶解したロウを吸収させる。ここで、和紙の厚さは、２尺ｘ３尺の大きさを基準に、その重さを厚さに置き換える慣習的な表記で示している。
【０００９】
請求項２に係る考案は、請求項１に係る構造を有する芯と、粉状かつ／又は粒状の蓄光剤を偏在して含有した第一のロウ部材を容体に形成した外層ロウ部と、前記容体に第一のロウ部材より融点が低い第二のロウ部材を充填した内層ロウ部とからなる構造を特徴とするロウソクである。前記芯による安定した継続的な燃焼と外層内に偏在した蓄光材の発光によって視覚的効果を高めるものである。
【００１０】
請求項３に係る考案は、前記ロウ部材にさらに芳香性の精油成分を有する漢方生薬または香辛料を含有したことを特徴とするロウソクであって、視覚的効果と相乗して癒し効果を高めることにある。
【考案の効果】
【００１１】
和紙と蚕の繭から紡いだ糸を巻いた円筒形状の芯は、その円形辺で燃焼して火輪となって、横方向に膨らみがある火炎を生じさせる。その膨らみある火炎は、芯周りのロウ部材を広く均等に溶融させつつ、和紙の高い吸水性によりロウを効果的に吸収する。
【００１２】
また、和紙は、不燃成分による溶解したロウの吸収が妨げられることを減少させ、また燃え残りも少ない。照明のための灯すという目的ではないため、長時間にわたって安定した燃焼を実現する。
【００１３】
他方、粉状蓄光材又は粒状蓄光材の投入量と撹拌の程度によって、蓄光材が外層ロウ部材に偏在し、発光により星空のイメージを発現させる。そして、個々に作成したロウソクそれぞれが固有のイメージを発現し、需要者の興趣が増す。
【図面の簡単な説明】
【００１４】
【図１】本考案に係る芯の構造を示す斜視図である。
【図２】本考案に係る芯を有するロウソクを示した斜視図である。
【図３】本考案に係る蓄光材を含有した外層と、内層の2層で形成したコップ形状のロウソクの構造を表した断面図である。
【図４】ロウソクの燃焼経過で変化したロウソクの状態を示す断面図である。
【図５】外層ロウ部材の粒状蓄光材及び粉状蓄光材が発光した状態を示す図である。
【図６】円球形状にしたロウソクの構造を示す断面図である。
【考案を実施するための形態】
【実施例１】
【００１５】
図１は、本考案に係る芯の実施例を示す。我が国の和紙は楮、三椏等の植物材料を用いたもので、吸水性に優れているが種類も極めて多い。本考案に係る和紙は、厚さ３ないし１０匁とするが、漉き目の目立つ和紙を採用することが好ましい。
【００１６】
円筒形状は、適度に裁断した和紙１ａを長手の棒状の心棒に巻きつけて形成する。和紙の巻き数は1回以上２回未満とする。次に蚕の繭から紡いだ糸１ｂを円筒下端から上端に巻きあげて、上端で巻き返して交差させる。和紙表面の繊維と蚕の繭を紡いだ糸の繊維どうしが相互に絡み合って円筒形状は保持される。
【００１７】
和紙の巻き辺１ｃ（長辺）を接着剤等で塗布して接合することも考えられるが、塗布部分で溶解したロウの吸収に差異が生じることから、繭から紡いだ糸を使うのが最適である。また、本方法の巻き方でなく、繭の繊維をワタ状に拡げて和紙の円筒を覆う方法も採用できる。
【００１８】
ここで、芯１の円径サイズにより火輪の大きさと膨らみは変化する。すなわち、円周に沿う火輪状の燃焼となり、炎が合わさることで横方向に膨らんだ涙的形状を成す。一般的な紙縒り状の細い綿芯では、上方に向かって細い涙的形状となり、綿芯が燃え残れば、ロウソクを歪んで溶融してしまう場合が多い。
【００１９】
本考案に係る芯は燃え残りも少なく安定した燃焼を継続する。和紙の厚さ及び芯１の円径サイズは、ロウソクの大きさ、ロウ部材の融点との関係を考慮して実験的に最適化できる。
【００２０】
図２は、芯１を用いた一般的なロウソクの実施形態を示すもので、芯１を座金３に固定し、ロウ部２の中央に載置し、適当なロウ部材を充填して成形する。芯１は、溶解したロウ部材に含浸して、芯の円筒内にもロウ部材を充填し固めておく。
【実施例２】
【００２１】
請求項２に係る実施例を図３により説明する。本例のロウソクは、上面径５０ｍｍ底面径４０ｍｍほどのコップ形状であって、第一のロウ部材で形成された外層ロウ部４と、外層ロウ部４が容体となって第二のロウ部材が充填された内層ロウ部５から構成される。第二のロウ部材は第一のロウ部材より融点が低いものとする。ここで、第一のロウ部材は、たとえば、第二のロウ部材より融点が高い他のロウ部材を第二のロウ部材自体に配合すれば、適度な融点差異を有するものを生成できる。
【００２２】
外層ロウ部４は粉状蓄光材と粒状蓄光材６を含有し、粉状蓄光材は外層ロウ部４に偏在している（点陰影の部分）。蓄光材は、アルミン酸ストロンチウムにネオジウム等の希土類を混合したものなどの市販品を採用できる。また、粒状の直径は２ｍｍ以下が好ましい。以下に、紙コップをロウソクの型として、外層ロウ部４を形成する方法の一例を示す。
【００２３】
（１）湯煎で第一のロウ部材を溶融し、（２）前記溶融したロウ部材を適量紙コップに移し、（３）融点から温度が低下し凝固しつつある段階のとろみ状態で、粉状及び粒状の蓄光剤を添加してヘラで撹拌させ、（４）紙コップの内壁面に凝着させて、形成する。ただし、蓄光材はとろみ状態で添加するので、外層ロウ部４の全体に均等に攪拌することはなく偏在する。なお、蓄光材は、粒状及び粉状と合わせて重量比５％ないし１０％を第一のロウ部材に配合する。外層の厚さは２ｍｍないし５ｍｍが好ましい。
【００２４】
以上により、コップ状の外層ロウ部４からなる容体が形成され、前記容体に第二のロウ部材を溶融して充填することで内層ロウ部５が形成され、ロウソクが成形される。
【００２５】
図４は、ロウソクを灯して時間経過した場合のロウ部材の変化状態を示す。内層ロウ部５は暫時溶解して芯１に吸収され燃焼するが、融点が高い外層ロウ部４は内層ロウ部５より緩やかに溶解し、燃焼が経過しても外層の形状は適度に維持される。
【００２６】
ただし、蓄光材は燃焼しないため、内層ロウ部５の上面部に下降して溜まっていく。これにより、芯１のロウの吸収が妨げられることにもなるが、反面、過度な吸収による燃焼過多も避けられる。他方、芯１の円筒内のロウ部材が補助的に溶解して供給され、和紙１ａと蚕の繭から紡いだ糸１ｂの吸水性と相まって、持続的に安定した燃焼が実現される。
【００２７】
図５は外層ロウ部４に含まれる蓄光材による視覚効果の実際的なイメージを示す。通常の昼間や夜間照明のもとにあっては、太陽光や照明器具から蓄光し、夜間の暗い部屋等で発光励起していく。また、芯１の燃焼炎から発せられる光エネルギーが蓄光材に蓄積する。
【００２８】
外層ロウ４に偏在した粉状蓄光材は、図５のグレー部分のように淡く発光して、天の川やオーロラのイメージを醸し出す。また、点在した粒状蓄光材は、図５の白点のように夜空に瞬く星のイメージを醸し出す。よって、偏在の程度により、作成したロウソクそれぞれが固有のイメージを発現する。
【実施例３】
【００２９】
本実施例３は、図６に示すように上記実施例２のバリエーションである円球形状の型で成形したロウソクである。完全な真球体ではなく、上面及び底面は平坦な形状としている。外層ロウ部４は、円球形状の型を２分割することで、各半円球の型の内壁面に第一のロウ部材を凝着させて形成する。その後、２つの半円球の型を嵌合して、第二のロウ部材を充填して、ロウソクが成形される。
【００３０】
ろうそくは、円柱、立方体、多角形柱あるいは創作的に造形した型であっても、型の分割を工夫すれば、外層ロウ部４を形成でき、本考案に係る多様な形態が実現できる。
【実施例４】
【００３１】
芳香性または薬効性の精油成分を有する漢方生薬を第一のロウ部材または第二のロウ部材に混合すれば、有効成分の拡散により相乗的に癒し効果を高めるものとなる。癒し効果を高める漢方薬には、陳皮、トウキ、沈香といったものを採用できる。また、バジル、シナモン、ペパーミントといった香辛料も適する。
【産業上の利用可能性】
【００３２】
本考案に係るロウソクは、癒し系ロウソクとして市場に提供することができる。
【符号の説明】
【００３３】
１    芯（灯心）
１ａ  和紙
１ｂ  蚕の繭から紡いだ糸
１ｃ  巻き辺
２    ロウ部
３    座金
４    外層ロウ部
５    内層ロウ部
６    粒状の蓄光剤
【図１】
0003202924.tif 000003
【図２】
0003202924.tif 000004
【図３】
0003202924.tif 000005
【図４】
0003202924.tif 000006
【図６】
0003202924.tif 000007
【図５】
0003202924.tif 000008
【手続補正書】
【提出日】平成27年12月26日(2015.12.26)
【手続補正１】
【補正対象書類名】実用新案登録請求の範囲
【補正対象項目名】請求項２
【補正方法】変更
【補正の内容】
【請求項２】
前記芯と、粉状かつ／又は粒状の蓄光剤を偏在して含有した第一のロウ部材を容体に形成した外層ロウ部と、前記容体に前記第一のロウ部材より融点が低い第二のロウ部材を充填した内層ロウ部とからなり、偏在した蓄光材の発光励起により視覚効果を発現させることを特徴とする請求項１に記載のロウソク。
【手続補正２】
【補正対象書類名】実用新案登録請求の範囲
【補正対象項目名】請求項３
【補正方法】変更
【補正の内容】
【請求項３】
ロウ部材に芳香性の精油成分を有する漢方生薬または香辛料を含有させたことを特徴とする請求項１または請求項２に記載のロウソク。